(57)【要約】【課題】接近検知部材がない撮像装置においても、ファインダーを覗きながらユーザが操作性良くタッチ操作できるようにする。【解決手段】撮像装置は、ファインダー外にある表示部へのタッチ操作を検出可能な検出手段と、前記ファインダーを介して被写体像が視認可能である場合に、前記検出手段が前記表示部の第１の位置へのタッチの開始を検出したことに応じて、前記表示部において前記第１の位置のアイテムがタッチされたことを示す表示をし、前記第１の位置へタッチがされた後、所定の条件を満たすタッチ位置の移動操作がされたことに応じて、前記ファインダーを介して視認可能なファインダー内表示部に、前記第１の位置からのタッチ位置の移動に対応する、所定の設定項目の設定の変更を示す表示をするように制御する制御手段とを有する。【選択図】図４
2018113551.tif 000002
【特許請求の範囲】
【請求項１】
ファインダー外にある表示部へのタッチ操作を検出可能な検出手段と、
前記ファインダーを介して被写体像が視認可能である場合に、
前記検出手段が前記表示部の第１の位置へのタッチの開始を検出したことに応じて、前記表示部において前記第１の位置のアイテムがタッチされたことを示す表示をし、
前記第１の位置へタッチがされた後、所定の条件を満たすタッチ位置の移動操作がされたことに応じて、前記ファインダーを介して視認可能なファインダー内表示部に、前記第１の位置からのタッチ位置の移動に対応する、所定の設定項目の設定の変更を示す表示をするように制御する制御手段とを有することを特徴とする撮像装置。
【請求項２】
前記制御手段は、前記第１の位置へタッチがされた後、タッチ位置が前記第１の位置から第２の位置へと移動した際に、
前記タッチ位置の移動操作が前記所定の条件を満たさない場合には、前記表示部に前記第２の位置のアイテムがタッチされたことを示す表示をし、
前記タッチ位置の移動操作が前記所定の条件を満たす場合には、前記ファインダー内表示部に前記第１の位置から前記第２の位置へのタッチ位置の移動に対応する、前記所定の設定項目の設定の変更を示す表示をするように制御することを特徴とする請求項１に記載の撮像装置。
【請求項３】
前記制御手段は、前記所定の条件を満たすタッチ位置の移動操作のタッチの開始位置に対応して前記所定の設定項目の設定を変更せず、前記タッチ位置の移動操作に基づいて前記所定の設定項目の設定を変更するように制御することを特徴とするように制御することを特徴とする請求項１または２に記載の撮像装置。
【請求項４】
前記制御手段は、前記第１の位置に対応するアイテムが選択された後、前記第１の位置からタッチ位置が移動したタッチ操作が前記所定の条件を満たしていない場合には、前記所定の設定項目の設定を変更しないように制御することを特徴とする請求項１乃至３のいずれか１項に記載の撮像装置。
【請求項５】
前記制御手段は、前記第１の位置からタッチ位置が移動せずに、タッチが離されたら前記第１の位置のアイテムの機能を実行するように制御することを特徴とする請求項１乃至４の何れか１項に記載の撮像装置。
【請求項６】
前記第１の位置が前記所定の設定項目とは異なる第１の設定項目の設定を変更するための領域である際に、
前記制御手段は、前記第１の位置から前記領域の第３の位置へのタッチ位置の移動操作があり、該移動操作が前記所定の条件を満たさない場合には、該タッチ位置の移動操作に応じて前記第１の設定項目を前記第３の位置に対応して設定し、
前記第１の位置から前記第３の位置へのタッチ位置の移動操作があり、該移動操作が前記所定の条件を満たす場合には、該タッチ位置の移動操作がされても前記第１の設定項目の設定を変更せず、前記所定の設定項目の設定の変更をするように制御することを特徴とする請求項１乃至５の何れか１項に記載の撮像装置。
【請求項７】
前記所定の設定項目はＡＦ位置を設定する設定項目であり、前記制御手段は、前記所定の条件を満たす前記第１の位置からのタッチ位置の移動に対応してＡＦ位置を変更するように制御することを特徴とする請求項１乃至６のいずれか１項に記載の撮像装置。
【請求項８】
前記所定の条件とは、前記検出手段が検出した前記タッチ位置の移動操作のタッチの面積が所定の面積以上であることを含むこと特徴とする請求項１乃至７の何れか１項に記載の撮像装置。
【請求項９】
前記タッチ位置の移動操作のタッチの面積は、第１の時間以内に前記検出手段が検出したタッチがされた面積の合計であることを特徴とする請求項８に記載の撮像装置。
【請求項１０】
前記所定の条件とは、前記タッチ位置の移動操作によるタッチ位置の移動距離が所定の距離以上あったことを含むことを特徴とする請求項１乃至９の何れか１項に記載の撮像装置。
【請求項１１】
前記所定の条件とは、前記タッチ位置の移動操作によるタッチ位置の移動距離が第２の時間内に所定の距離以上あったことを含むこと特徴とする請求項１乃至９の何れか１項に記載の撮像装置。
【請求項１２】
前記所定の距離は、前記タッチ位置の移動がされたと判定するための閾値よりも長いことを特徴とする請求項１０または１１に記載の撮像装置。
【請求項１３】
前記所定の条件とは、タッチの開始からタッチ位置の移動がされるまでの時間が第３の時間以内であることを含むこと特徴とする請求項１乃至１２の何れか１項に記載の撮像装置。
【請求項１４】
前記制御手段は、前記表示部へのタッチが開始されたことに応じて前記ファインダー内表示部に前記所定の設定項目の設定を示す表示をするように制御することを特徴とする請求項１乃至１３のいずれか１項に記載の撮像装置。
【請求項１５】
前記制御手段による制御は、測光処理が開始されてから前記表示部へのタッチが検出されるまでの経過時間が所定の時間内である場合に行われることを特徴とする請求項１乃至１４のいずれか１項に記載の撮像装置。
【請求項１６】
前記ファインダーを介して被写体像を視認可能にするか否かを切り替え可能な切替手段をさらに有することを特徴とする請求項１乃至１５のいずれか１項に記載の撮像装置。
【請求項１７】
前記ファインダーを介して被写体像が視認可能でなく、かつ、前記表示部にライブビュー画像が表示されている場合には、
前記制御手段は、前記タッチ位置の移動操作がされた場合に、前記タッチ位置の移動操作が前記所定の条件を満たしているか否かに関わらず、前記表示部にタッチ位置を示す表示をするように制御することを特徴とする請求項１６に記載の撮像装置。
【請求項１８】
前記制御手段は、前記所定の設定項目の設定が変更されたことに応じて、前記表示部にも前記所定の設定項目の設定が変更されたことを示す表示をするように制御することを特徴とする請求項１乃至１７の何れか１項に記載の撮像装置。
【請求項１９】
前記制御手段は、前記所定の条件を満たすタッチ位置の移動操作の前に設定されていた設定値からタッチ位置の移動操作のタッチ位置の移動距離と移動方向に基づく変化量で変化した設定値に、前記所定の設定項目を設定するように制御することを特徴とするように制御することを特徴とする請求項１乃至１８の何れか１項に記載の撮像装置。
【請求項２０】
前記制御手段は、前記所定の条件を満たすタッチ位置の移動操作の前の設定値に関わらず、前記所定の条件を満たすタッチ位置の移動操作のタッチの開始位置から移動した後のタッチ位置に対応して前記所定の設定項目の設定を変更するように制御することを特徴とするように制御することを特徴とする請求項１または２に記載の撮像装置。
【請求項２１】
前記ファインダーは光学ファインダーであり、前記ファインダー内表示部の表示は、前記ファインダーを介して視認可能な被写体の光学像に重畳して表示されることを特徴とする請求項１乃至２０の何れか１項に記載の撮像装置。
【請求項２２】
前記ファインダーは電子ビューファインダーであり、前記ファインダー内表示部にはライブビュー画像が表示可能であることを特徴とする請求項１乃至２０の何れか１項に記載の撮像装置。
【請求項２３】
前記所定の設定項目は、ＩＳＯ感度設定、自動明るさ調整設定、ＨＤＲ設定、ブラケット撮影設定、ＡＦエリア設定、グリッド表示設定、絞り数値設定のいずれかであることを特徴とする請求項１乃至６のいずれか１項に記載の撮像装置。
【請求項２４】
前記ファインダーに対する接眼を検知する手段を有していないことを特徴とする請求項１乃至２３の何れか１項に記載の撮像装置。
【請求項２５】
ファインダー外にある表示部へのタッチ操作を検出可能な検出手段を有する撮像装置の制御方法であって、
前記ファインダーを介して被写体像が視認可能である場合に、
前記検出手段が前記表示部の第１の位置へのタッチの開始を検出したことに応じて、前記表示部において前記第１の位置のアイテムがタッチされたことを示す表示をし、
前記第１の位置へタッチがされた後、所定の条件を満たすタッチ位置の移動操作がされたことに応じて、前記ファインダーを介して視認可能なファインダー内表示部に、前記第１の位置からのタッチ位置の移動に対応する、所定の設定項目の設定の変更を示す表示をすることを特徴とする撮像装置の制御方法。
【請求項２６】
コンピュータを、請求項１乃至２４の何れか１項に記載された撮像装置の各手段として機能させるためのプログラム。
【請求項２７】
コンピュータを、請求項１乃至２４の何れか１項に記載された撮像装置の各手段として機能させるためのプログラムを格納したコンピュータが読み取り可能な記憶媒体。
【発明の詳細な説明】
【技術分野】
【０００１】
本発明は、ユーザがファインダーを介して被写体を視認可能な場合にファインダー外にある表示部へのタッチ操作に応じて設定変更を行う技術に関する。
【背景技術】
【０００２】
従来、ファインダーを覗いた状態でファインダー外にある表示部をタッチパネルとして使用することで、ファインダーを覗きながらＡＦ位置やシャッター速度等の設定項目の設定をする方法がある。特許文献１には、アイセンサによりユーザがファインダーを覗き込んでいるのかを検出し、アイセンサの検出結果に応じてタッチ操作方法を変えることが開示されている。特許文献１では、ユーザがファインダーを覗き込んでいると判定された場合には、ファインダーを覗きながらの背面モニタへのタッチ操作を受け付ける処理を行う。また、アイセンサによるユーザのファインダーへの覗き込みが検出されなかった場合には、背面モニタに表示した設定画面のボタンなどへのタッチ操作を受け付ける。
【先行技術文献】
【特許文献】
【０００３】
【特許文献１】特開２０１２−２０３１４３号公報
【発明の概要】
【発明が解決しようとする課題】
【０００４】
上記特許文献１では、アイセンサによりユーザがファインダーを覗き込んでいるか否かの検出をしなければならないので、アイセンサのような接近検知部材がないデジタルカメラではユーザがファインダーを覗き込んでいるか否かに応じてタッチ操作の方法を変えることができない。接近検知部材がないことで、ユーザがファインダーを覗きながら背面にある表示部へのタッチ操作による設定変更操作が行えないのは不便である。
【０００５】
本発明は、上記課題に鑑みてなされ、接近検知部材がない撮像装置においても、ファインダーを覗きながらユーザが操作性良くタッチ操作できるようにすることを目的とする。
【課題を解決するための手段】
【０００６】
上記課題を解決し、目的を達成するために、本発明の撮像装置は、ファインダー外にある表示部へのタッチ操作を検出可能な検出手段と、前記ファインダーを介して被写体像が視認可能である場合に、前記検出手段が前記表示部の第１の位置へのタッチの開始を検出したことに応じて、前記表示部において前記第１の位置のアイテムがタッチされたことを示す表示をし、前記第１の位置へタッチがされた後、所定の条件を満たすタッチ位置の移動操作がされたことに応じて、前記ファインダーを介して視認可能なファインダー内表示部に、前記第１の位置からのタッチ位置の移動に対応する、所定の設定項目の設定の変更を示す表示をするように制御する制御手段とを有する。
【発明の効果】
【０００７】
本発明によれば、接近検知部材がない撮像装置においても、ファインダーを覗きながらユーザが操作性良くタッチ操作できるようになる。
【図面の簡単な説明】
【０００８】
【図１】本実施形態の撮像装置の外観図。
【図２】本実施形態の撮像装置の構成を示すブロック図。
【図３】本実施形態の撮影時におけるタッチ操作による設定変更処理を示すフローチャート。
【図４】本実施形態の撮影時における待機画面表示中のタッチ操作処理を示すフローチャート。
【図５】本実施形態のタッチ判定処理における背面表示部および接眼ファインダーの表示例を示す図。
【図６】本実施形態のタッチ判定処理における背面表示部の表示例を示す図。
【図７】本実施形態のタッチ判定処理における背面表示部および接眼ファインダーの表示例を示す図。
【図８】タッチ時刻からの経過時間とタッチムーブの移動距離との関係を例示する図。
【発明を実施するための形態】
【０００９】
以下に、本発明の撮像装置を、静止画や動画を撮影可能なデジタル一眼レフカメラに適用した実施の形態について、添付図面を参照して詳細に説明する。
【００１０】
＜装置構成＞図１及び図２を参照して、本実施形態のデジタルカメラの構成および機能について説明する。
【００１１】
図１において、背面表示部１０１は、画像や各種情報を表示する、カメラ本体の背面に設けられたＬＣＤなどの表示デバイスである。また、背面表示部１０１は、静止画撮影後の静止画再生や記録中の動画表示、及びライブビュー表示機能を併せ持っている。ファインダー外表示部２４３は、カメラ本体の上面に設けられたＬＣＤなどの表示デバイスであり、シャッター速度や絞りなどのカメラの様々な設定値を表示する。
【００１２】
シャッターボタン１０２は撮影指示を行うための操作部である。モード切替スイッチ１０３は各種モードを切り替えるためのダイヤル式の操作部である。端子カバー１０４は外部機器とデジタルカメラ１００をＵＳＢなどのケーブルを介して接続するためのコネクタ（不図示）を保護するカバー部材である。メイン電子ダイヤル１０５は図２で後述する操作部２７０に含まれる回転操作部材であり、このメイン電子ダイヤル１０５を回すことで、シャッター速度や絞りなどの設定値が変更できる。
【００１３】
電源スイッチ１０６はデジタルカメラ１００の電源のオン／オフを切り替える操作部材である。サブ電子ダイヤル１０７も図２で後述する操作部２７０に含まれる回転操作部材であり、選択枠の移動や画像送りなどを行える。十字キー１０８も図２で後述する操作部２７０に含まれる移動指示部材であり、上、下、左、右からなる４方向ボタンのいずれかを押し込むことで、十字キー１０８の押した部分に応じた操作が可能である。
【００１４】
ＳＥＴボタン１０９も図２で後述する操作部２７０に含まれる押しボタンであり、主に選択項目の決定などに用いられる。ライブビューボタン１１０も図２で述する操作部２７０に含まれる押しボタンであり、静止画撮影モードではライブビュー表示のオン／オフを切り替え、動画記録モードでは動画撮影（記録）の開始や停止の指示に使用される。拡大ボタン１１１も図２で後述する操作部２７０に含まれる押しボタンであり、ライブビュー中における拡大表示のオン／オフ、及び拡大表示中の拡大率の変更を行うための操作部材である。また、拡大ボタン１１１は、再生モードでは再生画像を拡大し、拡大率を増加させるための操作部材である。縮小ボタン１１４も後述する操作部２７０に含まれる押しボタンであり、拡大された再生画像の拡大率を減少させ、画面を縮小表示するための操作部材である。
【００１５】
表示先切替ボタン１１２も図２で後述する操作部２７０に含まれる押しボタンであり、画像の表示先をユーザが視認可能に背面表示部１０１と接眼ファインダー２１６のいずれに切り替える操作部材である。ユーザは表示先切替ボタン１１２を操作しながら、被写体の光学像（以下、被写体像）を撮像して得られるライブビュー画像を背面表示部１０１に表示するか、被写体像を接眼ファインダー２１６を介して観察するかを選択することが可能となる。
【００１６】
クイックリターンミラー２１２は、図２で後述するシステム制御部２０１の指示に応じて、不図示のアクチュエータによってアップ位置（露光位置）又はダウン位置（ライブビュー位置）に駆動される。通信端子２１０はデジタルカメラ１００がレンズユニット２００（図２）と通信を行うための電気的接点である。覗き込み型の接眼ファインダー２１６はフォーカシングスクリーン２１３（図２）を観察することで、レンズユニット２００を通じて取り込んだ被写体像の焦点や構図の確認を行うための光学部材である。蓋１１３はデジタルカメラ１００に対して記録媒体２５０を着脱するためにスロットを開閉する部材である。グリップ部１１５は、ユーザがデジタルカメラ１００を構えた際に右手で握りやすい形状を有する。
【００１７】
次に、図２を参照して、本実施形態のデジタルカメラ１００及びレンズユニット２００の内部構成について説明する。図２において、図１と共通する構成には同じ符号を付して示している。
【００１８】
図２において、レンズユニット２００は撮影レンズ２０７を搭載し、デジタルカメラ１００に対して着脱可能である。撮影レンズ２０７は通常、複数枚のレンズから構成されるが、ここでは簡略して１枚のレンズのみで示している。通信端子２０６はレンズユニット２００がデジタルカメラ１００と通信を行うための電気的接点である。通信端子２１０はデジタルカメラ１００がレンズユニット２００と通信を行うための電気的接点である。レンズユニット２００は、通信端子２０６を介してシステム制御部２０１と通信し、内蔵されたレンズ制御部２０４が絞り駆動回路２０２を制御して絞り２０５を駆動し、ＡＦ駆動回路２０３を制御して撮影レンズ２０７の位置を変位させることで焦点を合わせる。
【００１９】
ＡＥセンサー２１７は、レンズユニット２００を通じて取り込んだ被写体の輝度を測光する。焦点検出部２１１は、システム制御部２０１にデフォーカス量を出力し、システム制御部２０１はデフォーカス量に応じてレンズユニット２００と通信し、位相差検出方式でのオートフォーカス処理に関する制御を行う。
【００２０】
クイックリターンミラー（以下、ミラー）２１２は、露光、ライブビュー表示、動画撮影の際にシステム制御部２０１から指示を受けて、不図示のアクチュエータによってアップ位置又はダウン位置に駆動される。クイックリターンミラー２１２は、撮影レンズ２０７から入射した光束を接眼ファインダー２１６又は撮像部２２２へ切り替える。クイックリターンミラー２１２は通常、光束を反射して接眼ファインダー２１６へ光束を導くようダウン位置に付勢されているが、露光やライブビュー表示には、撮像部２２２へ光束を導くように上方に跳ね上がり光束中から待避する（アップ位置）。また、クイックリターンミラー２１２は、光束の一部が透過して焦点検出部２１１に入射するように、中央部がハーフミラーとなっている。撮影者は、ペンタプリズム２１４と接眼ファインダー２１６を介して、フォーカシングスクリーン２１３を観察することで、レンズユニット２００を通じて取り込んだ被写体像の焦点や構図の確認が可能となる。
【００２１】
フォーカルプレーンシャッター２２１は、システム制御部２０１の指示に応じて撮像部２２２での露光時間を自由に制御できる。撮像部２２２は被写体像を電気信号に変換するＣＣＤやＣＭＯＳ等の撮像素子で構成されたイメージセンサーである。Ａ／Ｄ変換器２２３は、撮像部２２２から出力されるアナログ信号をデジタル信号に変換して画像データを生成する。
【００２２】
画像処理部２２４は、Ａ／Ｄ変換器２２３からのデータ、又は、メモリ制御部２１５からのデータに対して所定の画素補間、縮小といったリサイズ処理や色変換処理を行う。また、画像処理部２２４では、撮像した画像データを用いて所定の演算処理が行われ、システム制御部２０１は演算結果に基づいて露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２３】
Ａ／Ｄ変換器２２３から出力されるデジタルデータは、画像処理部２２４及びメモリ制御部２１５を介して、あるいは、メモリ制御部２１５を介してメモリ２３２に直接書き込まれる。メモリ２３２は、撮像部２２２及びＡ／Ｄ変換器２２３から得られる画像データや、背面表示部１０１に表示するための画像表示用のデータを格納する。メモリ２３２は、所定枚数の静止画や所定時間の動画及び音声を格納するのに十分な記憶容量を備えている。また、メモリ２３２は画像表示用のメモリ（ビデオメモリ）を兼ねている。
【００２４】
Ｄ／Ａ変換器２１９は、メモリ２３２に格納されている画像表示用のデータをアナログ信号に変換して背面表示部１０１に供給する。メモリ２３２に書き込まれた表示用の画像データはＤ／Ａ変換器２１９を介して背面表示部１０１により表示される。背面表示部１０１は、Ｄ／Ａ変換器２１９からのアナログ信号に応じた表示を行う。このように、メモリ２３２に格納されたデジタル信号をアナログ信号に変換し、背面表示部１０１に逐次転送して表示することで、電子ビューファインダー（ＥＶＦ）機能を実現し、ライブビュー表示（スルー画像表示）を行える。
【００２５】
ファインダー内表示部２４１には、ファインダー内表示部駆動回路２４２を介して、現在ＡＦ処理が行われている測距点（ＡＦ位置）を示す枠やカメラの設定状態を表すアイコンなどが表示される。これにより、ユーザは、接眼ファインダー２１６を覗くことでレンズユニット２００により取り込まれた被写体像を視認できる光学ファインダー（ＯＶＦ）を介して、ＡＦ位置やカメラの設定状態を確認することが可能となる。
【００２６】
ファインダー外表示部２４３には、ファインダー外表示部駆動回路２４４を介して、シャッター速度や絞りなどのカメラの様々な設定値が表示される。
【００２７】
不揮発性メモリ２５６は、電気的に消去・記録可能な、例えばＥＥＰＲＯＭなどである。不揮発性メモリ２５６には、システム制御部２０１の動作用の定数、プログラム等が記憶される。ここでいう、プログラムとは、後述する各種フローチャートを実行するためのプログラムのことである。
【００２８】
システム制御部２０１は、デジタルカメラ１００全体を統括して制御するＣＰＵやＭＰＵを備え、不揮発性メモリ２５６に格納されたプログラムを実行することで、後述するフローチャートの各処理を実現する。システムメモリ２５２はＲＡＭなどであり、システム制御部２０１の動作用の定数、変数、不揮発性メモリ２５６から読み出したプログラムなどを展開するワークメモリとしても使用される。また、システム制御部２０１は、メモリ２３２、Ｄ／Ａ変換器２１９、背面表示部１０１などを制御することにより表示制御も行う。システムタイマー２５３は各種制御に用いる時間や、内蔵時計の時間を計測する計時部である。
【００２９】
モード切替スイッチ１０３、第１シャッタースイッチ２６１、第２シャッタースイッチ２６２、操作部２７０はシステム制御部２０１に各種の指示を入力するための操作手段である。モード切替スイッチ１０３は、システム制御部２０１の動作モードを、静止画撮影モード、動画記録モード、再生モードのいずれかに切り替える。静止画撮影モードには、例えば、オート撮影モード、オートシーン判別モード、マニュアルモード、絞り優先モード（Ａｖモード）、シャッター速度優先モード（Ｔｖモード）が含まれる。また、静止画撮影モードには、例えば、撮影シーン別の撮影設定となる各種シーンモード、プログラムＡＥモード、カスタムモードなどが含まれる。
【００３０】
モード切替スイッチ１０３で、静止画撮影モードに含まれる複数のモードのいずれかに直接切り替える。あるいは、モード切替スイッチ１０３で静止画撮影モードに一旦切り替えた後に、静止画撮影モードに含まれる複数のモードのいずれかに他の操作部材を用いて切り替えるようにしてもよい。同様に、動画記録モードや再生モードにも複数のモードが含まれていてもよい。
【００３１】
第１シャッタースイッチ２６１は、デジタルカメラ１００に設けられたシャッターボタン１０２の操作途中、いわゆる半押し（撮影準備指示）でオンとなり、第１シャッタースイッチ信号ＳＷ１を発生する。システム制御部２０１は、第１シャッタースイッチ信号ＳＷ１を受けて画像処理部２２４によって、ＡＦ処理、ＡＥ処理、ＡＷＢ処理、ＥＦ処理などを開始する。
【００３２】
第２シャッタースイッチ２６２は、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２２２からの信号読み出しから記録媒体２５０に画像データを書き込むまでの一連の撮影処理を開始する。
【００３３】
操作部２７０は、背面表示部１０１に表示される種々の機能に関するに設定を行うための項目や設定値を示すアイテムを選択することにより、場面ごとに適宜機能が割り当てられ、各種機能ボタンとして作用する。機能ボタンとしては、例えばメニューボタン、終了ボタン、戻るボタン、画像送りボタン、ジャンプボタン、絞込みボタン、属性変更ボタンなどがある。例えば、メニューボタンが押されると各種の設定可能なメニュー画面が背面表示部１０１に表示される。ユーザは、背面表示部１０１に表示されたメニュー画面と、十字キー１０８やＳＥＴボタン１０９を用いて直感的に各種設定を行うことができる。
【００３４】
操作部２７０は、ユーザからの操作を受け付けて、システム制御部２０１へ通知する入力部であり、少なくとも以下の操作部材が含まれる。シャッターボタン１０２、メイン電子ダイヤル１０５、電源スイッチ１０６、サブ電子ダイヤル１０７、十字キー１０８、ＳＥＴボタン１０９、ライブビューボタン１１０、拡大ボタン１１１、表示先切替ボタン１１２、縮小ボタン１１４。
【００３５】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２０１の指示に基づいてＤＣ−ＤＣコンバータを制御し、必要な電圧を必要な期間、記録媒体２５０を含む各部へ供給する。
【００３６】
電源部２３０は、アルカリ電池やリチウム電池等の一次電池やＮｉＣｄ電池やＮｉＭＨ電池、Ｌｉイオン電池等の二次電池、ＡＣアダプタ等からなる。記録媒体Ｉ／Ｆ２１８は、メモリカードやハードディスク等の記録媒体２５０とのインターフェースである。記録媒体２５０は、撮影された画像を記録するためのメモリカード等の記録媒体であり、半導体メモリや磁気ディスク等から構成される。
【００３７】
通信部２５４は、無線又は有線ケーブルによって接続し、映像信号や音声信号の送受信を行う。通信部２５４は無線ＬＡＮ（Ｌｏｃａｌ Ａｒｅａ Ｎｅｔｗｏｒｋ）やインターネットとも接続可能である。通信部２５４は撮像部２２２で撮像した画像（スルー画像を含む）や、記録媒体２５０に記録された画像ファイルを送信可能であり、また、外部機器から画像ファイルやその他の各種情報を受信することができる。
【００３８】
姿勢検知部２５５は重力方向に対するデジタルカメラ１００の姿勢を検知する。姿勢検知部２５５で検知された姿勢に基づいて、撮像部２２２で撮影された画像が、デジタルカメラ１００を横に構えて撮影された画像であるか、縦に構えて撮影された画像なのかを判別可能である。システム制御部２０１は、姿勢検知部２５５で検知された姿勢に応じた向き情報を撮像部２２２で撮像された画像の画像ファイルに付加したり、画像を回転して記録することが可能である。姿勢検知部２５５としては、加速度センサーやジャイロセンサーなどを用いることができる。
【００３９】
図２（ｂ）は、ミラーレスタイプの一眼レフデジタルカメラの場合の内部構成を示すブロック図である。図２（ｂ）において、図２（ａ）と共通する構成には同じ符号を付して示している。
【００４０】
ミラーレスタイプの一眼レフデジタルカメラ１００Ｂは、図２（ａ）の構成から光学ファインダーを構成するクイックリターンミラー２１２、フォーカシングスクリーン２１３、ペンタプリズム２１４が省略されている。また、ファインダー内表示部２４１は、レンズユニット２００により結像された被写体像を、撮像部２２２により撮像して得られた画像を表示する。撮影者は、接眼ファインダー２１６を介してファインダー内表示部２４１に表示された画像を視認することで、レンズユニット２００により取り込まれた被写体像の焦点や構図の確認が可能となる。また、撮影者は、背面表示部１０１に表示された映像を視認することで、レンズユニット２００により取り込まれた被写体像の焦点や構図の確認が可能となる。ユーザは表示先切替ボタン１１２を操作することにより、背面表示部１０１とファインダー内表示部２４１のいずれか一方または両方を表示することが可能となる。
【００４１】
なお、操作部２７０の１つとして、背面表示部１０１に対する接触を検出可能なタッチパネル２７０ａを有する。タッチパネル２７０ａと背面表示部１０１とは一体的に構成することができる。例えば、タッチパネル２７０ａを光の透過率が背面表示部１０１の表示を妨げないように構成し、背面表示部１０１の表示面の上層に取り付ける。そして、タッチパネル２７０ａにおける入力座標と、背面表示部１０１上の表示座標とを対応付ける。これにより、あたかもユーザが背面表示部１０１上に表示された画面を直接的に操作可能であるかのようなＧＵＩを構成することができる。システム制御部２０１はタッチパネル２７０ａへの以下の操作、あるいは状態を検出できる。
【００４２】
・タッチパネル２７０ａにタッチしていなかった指やペンが新たにタッチパネル２７０ａにタッチしたこと。すなわち、タッチの開始（以下、タッチダウン（Ｔｏｕｃｈ−Ｄｏｗｎ）と称する）。
【００４３】
・タッチパネル２７０ａを指やペンでタッチしている状態であること（以下、タッチオン（Ｔｏｕｃｈ−Ｏｎ）と称する）。
【００４４】
・タッチパネル２７０ａを指やペンでタッチしたまま移動していること（以下、タッチムーブ（Ｔｏｕｃｈ−Ｍｏｖｅ）と称する）。
【００４５】
・タッチパネル２７０ａへタッチしていた指やペンを離したこと。すなわち、タッチの終了（以下、タッチアップ（Ｔｏｕｃｈ−Ｕｐ）と称する）。
【００４６】
・タッチパネル２７０ａに何もタッチしていない状態（以下、タッチオフ（Ｔｏｕｃｈ−Ｏｆｆ）と称する）。
【００４７】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４８】
これらの操作・状態や、タッチパネル２７０ａａ上に指やペンがタッチしている位置座標は内部バスを通じてシステム制御部２０１に通知される。システム制御部２０１は通知された情報に基づいてタッチパネル２７０ａ上にどのような操作（タッチ操作）が行われたかを判定する。タッチムーブについてはタッチパネル２７０ａ上で移動する指やペンの移動方向についても、位置座標の変化に基づいて、タッチパネル２７０ａ上の垂直成分・水平成分毎に判定できる。所定距離以上をタッチムーブしたことが検出された場合はスライド操作（ドラッグ）が行われたと判定するものとする。タッチパネル上に指をタッチしたままある程度の距離だけ素早く動かして、そのまま離すといった操作をフリックと呼ぶ。フリックは、言い換えればタッチパネル２７０ａ上を指ではじくように素早くなぞる操作である。所定距離以上を、所定速度以上でタッチムーブしたことが検出され、そのままタッチアップが検出されるとフリックが行われたと判定できる（ドラッグに続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００４９】
タッチパネル２７０ａは、抵抗膜方式や静電容量方式、表面弾性波方式、赤外線方式、電磁誘導方式、画像認識方式、光センサー方式等、様々な方式のタッチパネルのうちいずれの方式のものを用いてもよい。方式によって、タッチパネルに対する接触があったことでタッチがあったと検出する方式や、タッチパネルに対する指やペンの接近があったことでタッチがあったと検出する方式ものがあるが、いずれの方式でもよい。
【００５０】
また、表示先切替ボタン１１２により表示先がファインダー内表示部２４１に切り替えられると、背面表示部１０１のライブビュー画像は非表示になるが、ＡＦ位置やカメラの設定状態等を変更するためのタッチ操作は受け付け可能である。この場合、ユーザはグリップ部１１５を手で保持し、シャッターボタン１０２に人差し指をかけた状態で、タッチパネル２７０ａへ親指等でタッチ操作を行うことができる。このようにタッチ操作を行うと、接眼ファインダー２１６を介してファインダー内表示部２４１の表示とＯＶＦによる被写体像を目視しながら、ＡＦ位置の移動操作と撮影指示とを素早く行うことができる。ただし、接眼ファインダー２１６で視認できる表示はＯＶＦに限らず、ファインダー内表示部２４１が撮像部２２２により撮像された画像を表示する電子ビューファインダ（ＥＶＦ）であってもよい。ファインダー内表示部２４１をＥＶＦとした場合には、撮像部２２２により撮像された画像がファインダー内表示部２４１に表示され（ライブビュー画像を表示可能）、ユーザは接眼ファインダー２１６を覗くことで被写体や構図を確認することができる。ＥＶＦの場合にも、背面表示部１０１と同様に、ファインダー内表示部２４１に撮像された画像を表示すると共に、ＡＦ位置やカメラの設定状態等を表示することができる。
【００５１】
なお、ハードウェアの構成は図２に示すものに限定されず、例えば１つのハードウェアが表示制御、通信制御、撮影制御、画像処理制御等を行い、デジタルカメラ１００の各手段として機能してもよい。また、複数のハードウェアが協働して１つの手段として機能してもよい。
【００５２】
＜撮影時のタッチ判定処理＞次に、図３から図８を参照して、本実施形態のデジタルカメラ１００による撮影時のタッチ判定処理について説明する。
【００５３】
図３および図４は、本実施形態のデジタルカメラ１００によるタッチ操作による設定変更処理の動作手順を示している。図５から図７は、本実施形態のデジタルカメラ１００による撮影時の背面表示部１０１及び接眼ファインダー２１６の表示例を示している。
【００５４】
図３および図４の処理は、ライブビューボタン１１０によりライブビューモードが起動され、背面表示部１０１に図５（ａ）の待機画面５０１が表示され、接眼ファインダー２１６から図５（ｂ）のＯＶＦによる被写体像５０２が視認可能な状態で開始される。また、本フローチャートの処理は、不揮発性メモリ２５６に格納されたプログラムをシステムメモリ２５２に展開してシステム制御部２０１が実行することにより実現される。
【００５５】
Ｓ３０１では、システム制御部２０１は、表示先切替ボタン１１２が操作されたか否かを判定する。表示先切替ボタン１１２が操作された場合はＳ３０２に進み、操作されない場合はＳ３０３に進む。
【００５６】
Ｓ３０２では、システム制御部２０１は、表示先切り替えを行う。表示先切替ボタン１１２により表示先の切り替え指示がなされると、表示先切替ボタン１１２が押されるごとに、接眼ファインダー２１６でＯＶＦによる被写体像を視認可能な状態と、背面表示部１０１で撮像画像を表示する状態とを切り替える。
【００５７】
図５（ａ）に示すように背面表示部１０１に待機画面が表示されているときには、図５（ｂ）に示すように接眼ファインダー２１６内には光学像の被写体像が見えている。表示先切替ボタン１１２により切り替え指示がなされると、図５（ｃ）に示すように背面表示部１０１にライブビュー画像５０３が表示され、図５（ｄ）に示すように接眼ファインダー２１６では被写体像が確認できなくなる。図５（ｃ）、（ｄ）の表示状態の場合に、表示先の切り替え指示がされると図５（ａ）、（ｂ）の状態になる。
【００５８】
図５（ａ）は、背面表示部１０１に表示されている待機画面５０１の一例を示している。待機画面５０１には、カメラや撮影に関する設定を行うための項目や設定値を示すアイテムが表示されている。設定項目や設定値のアイテムには、例えば、撮影モード５０１ａ、ＩＳＯ感度５０１ｂ、露出レベル５０１ｃ、Ｗｉ−Ｆｉ機能５０１ｄ、ピクチャースタイル５０１ｅが含まれる。さらに、ホワイトバランス５０１ｆ、オートライティングオプティマイザ５０１ｇ、操作ボタンカスタマイズ５０１ｈが含まれる。また、設定項目や設定値のアイテムには、例えば、ＭＦ／ＡＦ動作５０１ｉ、ＡＦフレーム選択５０１ｊ、測光モード５０１ｋ、ドライブモード５０１ｌ、記録画質５０１ｍが含まれる。また、待機画面５０１には、機能設定ボタン５０１ｎや電池残量５０１ｐのアイテムが表示されている。機能設定ボタン５０１ｎをタッチもしくは操作部２７０のＱボタンを押下すると、撮影モード５０１ａから記録画質５０１ｍの各アイテムが選択可能な状態になる。
【００５９】
図５（ｂ）は、接眼ファインダー２１６から視認可能なＯＶＦによる被写体像５０２が視認可能な状態を例示している。接眼ファインダー２１６で被写体像５０２が視認可能になると、被写体像の構図や、ファインダー内表示部２４１に表示される設定項目の設定値を被写体像に重なった状態で確認することができる。
【００６０】
図５（ｃ）は、背面表示部１０１に表示されているライブビュー画像５０３の一例を示している。
【００６１】
図５（ｄ）は、図５（ｃ）の状態（表示先が背面表示部１０１に設定された状態）で接眼ファインダー２１６から視認可能なＯＶＦの状態を例示している。表示先切替ボタン１１２により表示先が背面表示部１０１に設定された状態では、図１（ａ）のミラー２１２によって光路が遮断されるため接眼ファインダー２１６では被写体像が視認不可能であり、接眼ファインダー２１６を覗いても被写体像は見えない。
【００６２】
Ｓ３０３では、システム制御部２０１は、撮影指示がなされたか否かを判定する。撮影指示はシャッターボタン１０２の押下により行うことができる。撮影指示がなされた場合はＳ３０４に進み、そうでない場合はＳ３０５に進む。Ｓ３０４では、システム制御部２０１は、一連の撮影処理を実行する。撮影処理においては、待機画面５０１において設定された設定項目の設定値（例えば、シャッター速度や絞り数値、ＡＦ位置）が反映される。つまり、待機画面５０１において設定操作を行った設定項目の設定値で撮影された撮影画像が記録される。
【００６３】
Ｓ３０５では、システム制御部２０１は、タッチ操作による設定変更処理を終了するか否かを判定する。タッチ操作による設定変更処理は、電源のＯＦＦ、再生モードへの変更、メニュー画面の表示等により終了する。タッチ操作による設定変更処理を終了する場合は本処理を終了し、そうでない場合はＳ３０６に進む。
【００６４】
Ｓ３０６では、システム制御部２０１は、背面表示部１０１にライブビュー画像が表示されているか否かを判定する。背面表示部１０１にライブビュー画像５０３が表示されておらず、図５（ａ）のように待機画面５０１が表示されている場合は表示先が接眼ファインダー２１６に設定され、ユーザは接眼ファインダー２１６を覗いている状態なのでＳ３１２に進む。また、背面表示部１０１に図５（ｃ）のようにライブビュー画像５０３が表示されている場合は表示先が背面表示部１０１に設定され、ユーザは背面表示部１０１を目視している状態（接眼ファインダー２１６は非表示）なのでＳ３０７に進む。
【００６５】
Ｓ３０７では、システム制御部２０１は、背面表示部１０１に対するタッチダウン（タッチ操作の開始）の有無を判定し、タッチダウンがあった場合はＳ３０８に進む。
【００６６】
Ｓ３０８では、システム制御部２０１は、Ｓ３０７で検出されたタッチダウンから続く操作であるタッチムーブがなされたか否かを判定する。タッチムーブがなされた場合はＳ３０９に進み、そうでない場合はＳ３１０に進む。
【００６７】
Ｓ３０９では、システム制御部２０１は、タッチムーブ操作に応じてライブビュー表示中の設定項目の設定値の変更を行い、Ｓ３１０に進む。ライブビュー表示中のタッチムーブ操作による設定項目の設定値の変更には、ＡＦ位置の設定がある。図５（ｅ）、（ｆ）は、背面表示部１０１にライブビュー画像５０３が表示されている状態でユーザがタッチムーブを行ったことにより設定変更がされる前後の背面表示部１０１の表示例を示している。図５（ｅ）、（ｆ）は、ライブビュー画像５０３に重ねて表示されているＡＦ位置（枠）５０４、５０５の設定がタッチムーブにより変更される様子を例示している。ユーザがライブビュー画像５０３を目視しながら背面表示部１０１をタッチムーブすることで、ＡＦ位置の表示位置が図５（ｅ）のＡＦ位置５０４から図５（ｆ）のＡＦ位置５０５あるいは図５（ｆ）のＡＦ位置５０５から図５（ｅ）のＡＦ位置５０４に変更される。タッチムーブ操作をすることでＡＦ位置を示す枠が移動し、タッチを離すとその位置にＡＦ位置を設定する。
【００６８】
Ｓ３１０では、システム制御部２０１は、Ｓ３０７で検出されたタッチオン状態からタッチアップが検出されたか否かを判定する。タッチアップされた場合はＳ３１１に進み、タッチアップされない場合はＳ３０８に戻る。
【００６９】
Ｓ３１１では、システム制御部２０１は、Ｓ３１１で検出されたタッチアップに応じてＳ３１０での設定変更を決定する処理を行い、Ｓ３０１に戻る。
【００７０】
図５（ａ）の待機画面５０１の機能設定ボタン５０１ｎがタッチされ、タッチ位置が移動しないままタッチアップされると機能設定ボタンの機能（待機画面のその他のアイテムを選択可能にする機能）を実行する。
【００７１】
＜測光開始＞
Ｓ３１２では、システム制御部２０１は、測光指示がなされたか否かを判定する。測光指示は、シャッターボタン１０２の半押しによって行うことができ、測光処理はＡＥセンサー２１７により行うことができる。なお、不図示のＡＥロックボタン（露出を固定するためのボタン）、絞り込みボタン（撮影前にレンズの絞り込みをするためのボタン）の押下によっても行うことができる。測光指示がなされた場合はＳ３１３へ進み、そうでない場合はＳ３０１に戻る。
【００７２】
背面表示部１０１に図５（ａ）のように待機画面５０１が表示され、ユーザが接眼ファインダー２１６を覗いている状態でＳ３１２で測光処理を開始すると、Ｓ３１３に移行する。なお、Ｓ３１２において測光指示がなくてもＳ３１４以降の処理を行ってもよい。
【００７３】
Ｓ３１３では、システム制御部２０１は、Ｓ３１２で開始判定された測光開始時刻Ｔｓからの時間計測を開始する。
【００７４】
Ｓ３１４では、システム制御部２０１は、背面表示部１０１に対するタッチダウンの有無を判定し、タッチダウンが検出された場合は、Ｓ３１９の図４で後述する待機画面表示中のタッチ操作処理に進み、検出されない場合はＳ３１５に進む。
【００７５】
Ｓ３１５では、システム制御部２０１は、操作部２７０の操作部材による設定項目の設定値の変更操作がなされたか否かを判定する。機能設定ボタン５０１ｎへのタッチもしくは操作部２７０のＱボタンの押下により、アイテムが選択可能になった状態において、十字キー１０８で選択するアイテムを変更し（カーソル移動）、さらにＳＥＴボタン１０９でアイテムを決定することができる。アイテムが決定されるとそのアイテムに対応する各設定項目の設定画面へと遷移する。各設定項目の設定画面においてサブ電子ダイヤル１０７やメイン電子ダイヤル１０５への操作がされると、設定値を変更することができる。操作部２７０の操作部材による設定値の変更操作がなされた場合はＳ３１６に進み、そうでない場合はＳ３１７に進む。
【００７６】
Ｓ３１６では、システム制御部２０１は、Ｓ３１５において判定された操作部２７０への操作に応じた撮影パラメータの変更などの処理を実行してＳ３１３に進む。操作部２７０への操作に応じて、撮影モード、ＩＳＯ感度、露出レベル等の設定を変更することができる。
【００７７】
Ｓ３１７では、システム制御部２０１は、Ｓ３１３での測光開始時刻Ｔｓから所定時間が経過したか否かを判定する。所定時間が経過した場合はＳ３１８に進み、所定時間が経過していない場合はＳ３１４に戻る。所定時間とは例えば、４秒や１０秒といった時間である。
【００７８】
Ｓ３１８では、システム制御部２０１は、測光処理を終了し、Ｓ３１０に戻る。
【００７９】
＜待機画面表示中のタッチ操作処理＞
図４は図３のＳ３１９における待機画面表示中のタッチ操作処理を示している。Ｓ３１４では、タッチダウンが検出された場合、背面表示部１０１は図５（ａ）のように待機画面５０１が表示された状態であり、接眼ファインダー２１６は図５（ｂ）のようにＯＶＦによる被写体像が表示された状態である。
【００８０】
Ｓ４０１では、システム制御部２０１は、Ｓ３１４で検出されたタッチダウンが、図５（ａ）の待機画面５０１に含まれる所定の設定項目のアイテムへのタッチダウンか否かを判定する。所定の設定項目のアイテムへのタッチダウンの場合はＳ４０２へ進み、そうでない場合はＳ４０３に進む。
【００８１】
Ｓ４０２では、システム制御部２０１は、Ｓ４０１でタッチダウンされた設定項目のアイテムの表示形態を選択中に変更する。
【００８２】
図６（ａ）は、背面表示部１０１に図５（ａ）の待機画面５０１が表示されている状態で待機画面５０１のある設定項目のアイテム６０２にタッチ操作を行っている様子を例示している。図６（ａ）は、アイテム６０２がタッチダウン（タッチ開始）されたことによりアイテム６０２の表示形態が選択中に変更された状態を例示している。
【００８３】
Ｓ４０３では、システム制御部２０１は、Ｓ４０１で所定の設定項目のアイテムへのタッチダウンが検出されたタッチ時刻Ｔｔからの時間計測を開始する。
【００８４】
Ｓ４０４では、システム制御部２０１は、Ｓ４０１で検出されたタッチオン状態からタッチアップが検出されたか否かを判定する。タッチアップされた場合はＳ４１５に進み、タッチアップされない場合はＳ４０５に進む。
【００８５】
Ｓ４０５では、システム制御部２０１は、Ｓ４０１で検出されたタッチダウンから続く操作がタッチムーブであるか否かを判定する。タッチムーブであった場合はＳ４０６に進み、タッチムーブでなかった場合はＳ４０４に戻る。
【００８６】
図６（ｂ）〜（ｅ）は、背面表示部１０１に待機画面６０１が表示されている状態でタッチムーブがされた際の様子を例示している。ユーザは接眼ファインダー２１６を覗くと、被写体像を視認可能な状態である。
【００８７】
図６（ｂ）は、親指ｆ１で待機画面６０１上にタッチムーブを行っている様子を例示している。図６（ｂ）のタッチムーブは、図６（ａ）のタッチ開始後のタッチムーブによるタッチ面積が所定の面積以上かつタッチ開始時刻から所定時間以内に所定距離以上のタッチムーブが行われた場合に対応する。タッチ面積は、一度にタッチしている面積でもよいし、所定時間以内（例えば０．２秒、０．５秒など）においてタッチした面積の合計でもよい。
【００８８】
図６（ｃ）は、背面表示部１０１に待機画面６０１が表示されている状態で親指ｆ１以外（例えば人差し指ｆ２）でタッチムーブを行っている様子を例示している。図６（ｃ）のタッチムーブは、図６（ａ）のタッチ開始後のタッチムーブによるタッチ面積が所定の面積未満かつタッチ開始時刻から所定時間以内に所定距離以上のタッチムーブが行われなかった場合に対応する。図６（ｃ）はアイテムへタッチした状態から異なるアイテムへタッチ位置を移動した場合の表示例である。
【００８９】
図６（ｄ）は、背面表示部１０１に待機画面６０１が表示されている状態で親指ｆ１以外（例えば人差し指ｆ２）で待機画面６０１上のスライドバー６０４に対してタッチムーブを行っている様子を例示している。図６（ｄ）は、タッチムーブにより露出レベルを設定するためのスライドバー６０４を操作している様子を例示している。図６（ｄ）はスライドバー上でタッチムーブをした場合の表示例である。
【００９０】
図６（ｅ）は、背面表示部１０１に待機画面６０１が表示されている状態で親指ｆ１以外（例えば人差し指ｆ２）で待機画面６０１上にタッチムーブを行っている様子を例示している。図６（ｅ）は、図６（ａ）のタッチダウンにより選択中となったアイテム６０２がタッチムーブ後に選択中の表示が解除され、通常の表示に戻された状態を例示している。図６（ｅ）はアイテムからアイテムの表示されない領域へタッチ位置を移動した場合の表示例である。
【００９１】
なお、Ｓ４０５においてタッチムーブが検出されたら、Ｓ４０６とＳ４０７の判定を行わずにＳ４０８以降の処理に進んでもよい。つまり、Ｓ４０５でタッチムーブがされる前までは、タッチ位置に応じたアイテムを選択する絶対座標入力であるが、後述するようにタッチ位置が移動するとタッチ位置に応じた位置が選択されず、タッチ位置の移動量に応じて設定値を変更する相対座標入力になる。すなわち、タッチの開始は絶対座標入力であり、例えば図５（ａ）の待機画面５０１のように機能設定ボタン５０１ｎが選択された（絶対座標入力で）後、タッチムーブがされると相対座標入力によるＡＦ位置の変更がされる。相対座標入力によって、ＡＦ位置の設定をする場合には、タッチ開始位置に基づいた位置ではなく、タッチ位置の移動量に基づいてＡＦ位置が（タッチ位置の移動量に応じた量）変更される。このとき、ＡＦ位置は背面表示部１０１ではなく、ファインダー内表示部２４１においてＡＦ位置を示す枠がタッチムーブ量に応じて変更される。なお、タッチムーブに応じて必ずしも相対座標入力にしなくても、絶対座標入力のままでもよい。つまり、タッチパネル２７０ａのタッチ位置（タッチムーブ後のタッチ位置）に応じた位置を選択するようにしてもよい。
【００９２】
Ｓ４０６では、システム制御部２０１は、Ｓ４０５で検出されたタッチムーブにおけるタッチ面積が所定の面積以上であるか否かを判定する。タッチ面積が所定の面積以上であった場合はＳ４０７に進み、所定の面積未満であった場合はＳ４１０に進む。Ｓ４０６では、図６（ｂ）のように親指ｆ１でタッチムーブされた場合はタッチ面積が大きいと判定し（Ｓ４０６でＹＥＳ）、図６（ｃ）のように人差し指ｆ２でタッチムーブされた場合はタッチ面積が小さい（Ｓ４０６でＮＯ）と判定する。所定の面積とは、所定時間内にタッチされた面積のことであり、例えば０．２秒以内で７平方センチメートル等である（タッチ移動速度が所定以上かを判定してもよい）。もしくは、タッチダウンされた際のタッチ面積（瞬間的なもの）の面積が親指ほどの面積か否かを判定してもよい。すなわち、タッチダウンの時のタッチ面積が２平方センチメートルか否かを判定してもよい。
【００９３】
図６（ｂ）と図６（ｃ）で示される指はタッチの開始位置が同じであり、さらにタッチ位置の移動後のタッチ位置も同じである。しかしながら、図６（ｂ）に示す親指ｆ１によるタッチ操作のタッチ面積は、図６（ｃ）に示す人差し指ｆ２によるタッチ操作のタッチ面積よりも大きくなる。Ｓ４０６における設定値が親指ｆ１によるタッチ面積と、人差し指ｆ３によるタッチ面積との間のタッチ面積に閾値が設定されると、Ｓ４０６における判定において、図６（ｂ）に示すタッチムーブはＹＥＳとなり、図６（ｃ）に示すタッチムーブがＮＯとなる。タッチ開始位置から終了まで同じようにタッチ位置の移動をしても、Ｓ４０６以降の処理が異なり、待機画面に表示されたアイテムの操作を行うのか、ＡＦ位置の操作を行うのかが変わる。
【００９４】
Ｓ４０７では、システム制御部２０１は、Ｓ４０３でのタッチ時刻Ｔｔからの経過時間ｔとタッチムーブの移動距離ｍとの関係が所定の条件を満たすか否かを判定する。所定の条件を満たす場合はＳ４０８に進み、満たさない場合はＳ４０４に戻る。所定の条件とは、タッチ開始からの経過時間が２秒以内（所定時間以内）であるか、２秒以内である場合には経過時間に対応する距離のタッチ位置の移動があったかを示すものである。すなわち、タッチが開始されてから素早くタッチムーブがされたか、タッチが開始された後ユーザがあまりタッチ位置を動かしていないかを判定する。これにより、初めからタッチダウンとほぼ同時にタッチムーブ操作をしようと思ってタッチ操作を開始したか否かを判定することができる。
【００９５】
図８は、タッチ時刻Ｔｔからの経過時間ｔとタッチムーブの移動距離ｍの閾値との関係を例示している。横軸がタッチ時刻Ｔｔからの経過時間ｔ［秒］、縦軸がタッチ時刻Ｔｔからタッチアップまでのタッチムーブの移動距離ｍ［ｃｍ］を例示している。図８において、０≦ｔ≦２の場合はタッチ時刻Ｔｔに対応する移動距離以上のタッチムーブであれば、Ｓ４０７での判定がＹＥＳとなる。また、ｔ＞２の場合はタッチムーブの移動距離に関わらずＳ４０７での判定はＮＯとなる。なお、ｔ＝０の場合に必要な移動距離ｍ０は、例えば１センチや０．７センチとし、ｔ＝２の場合に必要な移動距離ｍ１は、例えば２センチや１．５センチとする。指でのタッチ操作は面積を持つので、ｔ＝０のときの閾値を０にしないのは、意図しない設定変更が実行されないようにするためである。なお、タッチムーブの移動距離ｍの時間変化は、図８のような線形な変化ではなく、曲線な変化も含まれる。
【００９６】
なお、タッチの開始からの経過時間でなくタッチ位置の移動がされてからの経過時間でＳ４０７の判定をしてもよい。ユーザが接眼ファインダー２１６を覗いた状態でタッチムーブをしてＡＦ位置の変更を行う場合には、ユーザは初めからタッチムーブをしてＡＦ位置を動かしてみる可能性が高い。ファインダーを覗いた状態では相対位置での位置入力設定（選択位置がタッチした座標には対応せず、タッチ位置の移動距離によって移動するもの、直前の設定値から移動の変化量分設定値を変更した値に設定される）になっていることが多い。特に、相対位置での位置入力では、タッチ位置を移動してみないとタッチしただけではＡＦ位置の変更をできないので、ユーザはタッチ後すぐにタッチムーブを行う可能性が高い。一方、ユーザが待機画面を見てタッチ操作をしている場合には、ユーザはまず所望のアイテムをタッチしてタッチアップをする一連の操作によりアイテムの選択操作をするか、設定値変更用のバーを見ながら操作をする可能性が高い。
【００９７】
図６（ｂ）と図６（ｃ）で示される指はタッチの開始位置が同じであり、さらにタッチ位置の移動後のタッチ位置も同じである。しかしながら、図６（ｂ）に示す親指ｆ１によるタッチ操作は、Ｓ４０７におけるタッチ時刻に応じた移動距離を満たし、図６（ｃ）に示す人差し指ｆ２によるタッチ操作はタッチ時刻に応じた移動距離を満たさないとすると、行われる処理は異なる。つまり、Ｓ４０７における判定において、図６（ｂ）に示すタッチムーブはＹＥＳとなり、図６（ｃ）に示すタッチムーブがＮＯとなる。タッチ開始位置から終了まで同じようにタッチ位置の移動をしても、Ｓ４０７以降の処理が異なり、待機画面に表示されたアイテムの操作を行うのか、ＡＦ位置の操作を行うのかが変わる。
【００９８】
これにより、接眼ファインダー２１６を覗いているときにＡＦ位置を移動したい場合は、ユーザはタッチダウン後すぐにタッチムーブを開始すれば所望の設定変更が行える。一方、接眼ファインダー２１６を覗いておらず背面表示部１０１を目視している場合、タッチムーブは設定変更のためではなく、タッチダウンを取り消すための操作である可能性が高い。このため、タッチダウンからタッチムーブまでに所定の時間が経過した場合のタッチ操作は無効となる。よって、Ｓ４０７での判定の結果からユーザが接眼ファインダー２１６を覗きながら操作していることが分かる。
【００９９】
Ｓ４０７で判定されるタッチムーブが、図６（ｂ）のようにタッチ面積が所定の面積以上かつタッチ時刻Ｔｔから所定時間以内に所定距離以上のタッチムーブであった場合（Ｓ４０７でＹＥＳ）はＳ４０８に進む。また、図６（ｃ）のようにタッチ面積が小さい、またはタッチムーブの移動距離が所定の距離未満の場合（Ｓ４０７でＮＯ）は、システム制御部２０１はタッチ操作を無効としてＳ４０４に戻る。
【０１００】
Ｓ４０８では、システム制御部２０１は、図６（ｆ）に示すような、ＡＦ位置に関する設定値が変更されたことを示す表示を背面表示部１０１に表示する。待機画面に表示されている設定項目の設定値ではない設定項目の設定値が変更されたので、その旨をユーザに示す。ファインダーを覗いた状態でのタッチムーブ操作により設定値の変更がされた場合には、ユーザの意図に沿った設定値の変更がされたので、ファインダー内の表示を見てユーザが所望の設定変更がされたことを確認できる。一方で、ファインダーを覗いた状態ではない（ファインダー内のＡＦ位置を示す枠の移動にも気付かない）場合に、Ｓ４０６とＳ４０７の判定がＹＥＳとなってしまった場合には、ユーザの意図した操作でない可能性が高い。つまり、ユーザはタッチムーブ操作により、待機画面上での選択アイテムの変更やスライドバー上での設定値の変更をしようとしたのに、所望の設定がされていないことやＡＦ位置が変更されたことに気付かない可能性がある。よって、ＡＦ位置が変更されたことを示す通知をする。このとき、待機画面での各アイテムを非表示にすることでユーザに待機画面での設定項目の設定を受付け可能な状態ではないことを認識させることができる。
【０１０１】
図６（ｆ）は、背面表示部１０１に待機画面６０１が表示されている状態でタッチムーブを行ったことにより設定変更がされたときに通知される画面６０６を例示している。図６（ｆ）では、待機画面６０１が表示されている状態で背面表示部１０１をタッチムーブすることでＡＦ位置が変更された例を示している。この場合、背面表示部１０１に設定変更通知６０５が表示されると共に、ファインダー内表示部２４１には変更後のＡＦ位置が表示される。ユーザが接眼ファインダー２１６を覗きながらタッチ操作をしている場合には、ＡＦ位置の移動を見ながら所望の位置へとＡＦ位置を移動させることができる。
【０１０２】
Ｓ４０９では、システム制御部２０１は、タッチムーブに応じてファインダー内表示部２４１に表示中の設定項目の設定値を変更し、変更された設定値に表示を変更して、Ｓ４０４に戻る。なお、この場合、背面表示部１０１の待機画面における対応する設定項目の表示も変更される。
【０１０３】
図７（ａ）、（ｂ）は、背面表示部１０１に待機画面が表示されている状態でタッチムーブがされたことにより、設定変更がされる前後のファインダー内表示部２４１の表示例を示している。図７（ａ）、（ｂ）は、接眼ファインダー２１６からＯＶＦによる被写体像が視認可能な場合に、被写体像に重なるように（重畳するように）ファインダー内表示部２４１に表示されているＡＦ位置（枠）７０１、７０２の設定がタッチムーブにより変更される様子を例示している。待機画面が表示されている状態で背面表示部１０１をタッチムーブすることで背面表示部１０１に図６（ｆ）の設定変更通知６０５が表示される。また、ファインダー内表示部２４１のＡＦ枠の表示位置が図７（ａ）のＡＦ位置７０１から図７（ｂ）のＡＦ位置７０２に変更される。ユーザが接眼ファインダー２１６を覗きながらタッチ操作をしている場合には、ＡＦ位置の移動を見ながら所望の位置へとＡＦ位置を移動させることができる。なお、タッチムーブがされる前には図７（ａ）のＡＦ位置７０１を表示しなくてもよいし、予めＡＦ位置は表示しておいてもよい。ファインダー内表示部２４１では、Ｓ４０５においてタッチムーブがされる前のタッチの開始が検出されたら、現在のＡＦ位置が分かるようＡＦ枠を点滅して表示したり、タッチ前にＡＦ枠が表示されていない場合にはＡＦ位置７０１を表示してもよい。
【０１０４】
図７（ｃ）、（ｄ）は、背面表示部１０１に待機画面が表示されている状態で図６（ｂ）に示すタッチムーブを行い設定変更がされる前後のファインダー内表示部２４１の表示例を示している。図７（ｃ）、（ｄ）は、ファインダー内表示部２４１にＥＶＦによるライブビュー画像７０３が表示されている場合に、ファインダー内表示部２４１に表示されているＡＦ位置７０４、７０５がタッチムーブにより変更される様子を例示している。背面表示部１０１をタッチムーブすることで、背面表示部１０１に図６（ｆ）の設定変更通知６０５が表示される。また、ファインダー内表示部２４１に表示中のＡＦ枠の表示位置が図７（ｃ）のＡＦ位置７０４から図７（ｄ）のＡＦ位置７０５に変更される。ユーザが接眼ファインダー２１６を覗きながらタッチ操作をしている場合には、ＡＦ位置の移動を見ながら所望の位置へとＡＦ位置を移動させることができる。
【０１０５】
図７（ｅ）、（ｆ）は、背面表示部１０１に待機画面が表示されている状態で図６（ｂ）のタッチムーブを行い設定変更がされる前後のファインダー内表示部２４１の表示例を示している。図７（ｅ）、（ｆ）は、接眼ファインダー２１６からＯＶＦによる被写体像が視認可能な場合に、被写体像に重ねてファインダー内表示部２４１に表示されているホワイトバランスを示すアイテム７０６、７０７の設定がタッチムーブにより変更される様子を例示している。背面表示部１０１をタッチムーブすることで、背面表示部１０１に図７（ｇ）の設定変更通知７０８が表示される。また、ファインダー内表示部２４１に表示中のホワイトバランスの設定が図７（ｅ）のＡＷＢ（オートホワイトバランス）を示すアイテム７０６から図７（ｆ）の他の設定値（日陰に適したホワイトバランス）を示すアイテム７０７に変更される。ユーザが接眼ファインダー２１６を覗きながらタッチ操作をしている場合には、ＡＦ位置の移動を見ながら所望の位置へとＡＦ位置を移動させることができる。
【０１０６】
このように、背面表示部１０１に設定変更通知を表示することで、接眼ファインダー２１６を覗いていないときにも、タッチムーブにより設定変更していることを把握できるため、意図しない設定変更がされることに気づくことができる。
【０１０７】
なお、Ｓ４０６やＳ４０７におけるタッチムーブ判定の他に、タッチムーブが予め設定されたタッチ有効領域内でない場合はＮＯと判定し、Ｓ４０８に移行しないようにしてもよい。
【０１０８】
また、タッチムーブによるＡＦ位置の設定変更が無効に設定されている場合には、図４の処理を行わないようにしてもよい。
【０１０９】
なお、Ｓ４０６とＳ４０７のタッチムーブの判定がＮＯであっても、タッチムーブの移動距離が所定の距離以上の場合にはＳ４０８に進むようにしてもよい。
【０１１０】
図５（ｇ）は、ユーザが接眼ファインダー２１６を覗きながらデジタルカメラ１００を保持している状態を例示している。撮影時は、右手でグリップ部１１５を握り、左手でカメラ本体を保持することになるため、背面表示部１０１をタッチできる指は親指だけである。本実施形態では、親指と親指以外の指ではタッチパネル２７０ａへのタッチ面積が異なることに着目し、測光中はタッチ面積が所定の面積以上のタッチムーブだけを有効にすることでＡＦ位置などの設定項目を変更できる。これにより、接眼ファインダー２１６を覗いていない状態でタッチムーブを行ってしまい、ユーザの意図に反して設定が変更されてしまうことを防止できる。
【０１１１】
＜タッチムーブのタッチ面積が小さい場合の処理＞
Ｓ４１０では、システム制御部２０１は、Ｓ４０５でのタッチムーブ後のタッチ位置が、選択中の設定項目ではない他の設定項目（スライドバー以外）にあるか否かを判定する。他の設定項目にタッチしている場合はＳ４１１に進み、そうでない場合はＳ４１２に進む。なお、Ｓ４０１においてＮＯと判定された場合にはＳ４１０の処理は、設定項目の表示される位置（スライドバー以外）をタッチしたか否かの判定を行う。
【０１１２】
Ｓ４１１では、システム制御部２０１は、Ｓ４１０でタッチされた設定項目の表示形態を選択中に変更してＳ４１７に進む。
【０１１３】
Ｓ４１０、Ｓ４１１では、例えば、図６（ｃ）のようにタッチ面積が小さい人差し指ｆ２でのタッチムーブ後に他の設定項目（撮影モード）６０３がタッチされている場合（Ｓ４１０でＹＥＳ）、タッチされている設定項目６０３の表示形態が選択中に変更される。
【０１１４】
Ｓ４１２では、システム制御部２０１は、図５（ａ）の待機画面５０１に含まれるスライドバーに対するタッチムーブが検出されたか否かを判定する。スライドバーへのタッチムーブ操作が検出された場合はＳ４１３に進み、検出されない場合はＳ４１４に進む。待機画面を見ている状態でタッチ操作をする場合には、図６（ｄ）の待機画面６０１に示すようにスライドバー上を平行にタッチムーブをするが、ファインダーを覗いた状態でＡＦ位置を変更する場合には斜め方向にタッチムーブをすることが多い。よって、スライドバーに沿ってタッチムーブをしたのか、そうでないのか（アイテムの位置やバーの方向に関わらず斜め方向にタッチムーブをしたのか）によっても、ユーザが接眼ファインダー２１６を覗きながら操作をしているのか、表示されたアイテムへの操作を行ったのか、ＡＦ位置を変更しようとしたのかを判定することができる。
【０１１５】
Ｓ４１３では、システム制御部２０１は、Ｓ４１２で検出されたタッチムーブに応じて設定値を変更し、Ｓ４０４に進む。
【０１１６】
Ｓ４１２、Ｓ４１３では、例えば、図６（ｄ）のように待機画面６０１に含まれるスライドバー（露出レベル）６０４に対するタッチムーブによって変更された露出レベルに設定が変更される。
【０１１７】
Ｓ４１４では、システム制御部２０１は、Ｓ４０２で選択中の設定項目の表示形態を通常の表示形態に戻して、Ｓ４０４に進む。
【０１１８】
図６（ｅ）のように、アイテムへのタッチ後のタッチムーブ後のタッチ位置が他のアイテムでもなく、スライドバー６０４（図６（ｄ））でもなく、アイテムの表示されていない位置になった場合は、選択中の設定項目を、非選択状態を示す通常の表示形態に戻す。Ｓ４１０、Ｓ４１２においてＮＯと判定された場合には、表示されている項目に関する処理も、ＡＦ位置の変更の処理も行わない。図５（ａ）の待機画面５０１では機能設定ボタン５０１ｎの表示される領域以外はタッチ操作に応じた処理を実行しないので、Ｓ４１０、Ｓ４１２においてはＮＯと判定され、表示される設定項目に関する処理も、ＡＦ位置の変更に関する処理も行われない。図５（ａ）の待機画面５０１の場合には、通常、機能設定ボタン５０１ｎへのタッチに応じた選択のみが行われ、タッチムーブに応じた処理は行われないが、Ｓ４０６、Ｓ４０７の判定がＹＥＳとなった場合にはタッチムーブに応じてＡＦ位置の変更がされる。
【０１１９】
＜タッチアップ後の処理＞
Ｓ４１５では、システム制御部２０１は、タッチムーブに応じた設定項目の変更が完了し、ファインダー内表示部２４１に表示中の設定項目が変更されたか否かを判定する。設定変更が完了した場合はＳ４１６に進み、完了していない場合はＳ４１７に進む。
【０１２０】
Ｓ４１６では、システム制御部２０１は、Ｓ４０８で表示した設定変更の通知を消去して、図４の処理を終了し、Ｓ３１３に進む。
【０１２１】
Ｓ４１７では、システム制御部２０１は、選択中の設定項目からのタッチアップが検出されたか否かを判定する。タッチアップが検出された場合はＳ４１８に進み、検出されない場合はＳ４１９に進む。
【０１２２】
Ｓ４１８では、システム制御部２０１は、Ｓ４１７でタッチアップが検出された設定項目に応じた機能を実行し、図４の処理を終了し、Ｓ３１３に進む。
【０１２３】
図６（ｇ）は、背面表示部１０１の待機画面６０１のある設定項目にタッチし、その後選択中の設定項目からタッチアップした様子を例示している。図６（ｇ）は、待機画面６０１上へのタッチダウンにより選択中となっているホワイトバランスを示すアイテム６０７がタッチムーブされずにタッチアップされた状態を例示している。図６（ｇ）のように選択中のホワイトバランスを示すアイテム６０７からのタッチアップが検出されると、当該アイテム６０７に応じた機能が実行され、図６（ｈ）に示すように背面表示部１０１にホワイトバランス設定画面６０８が表示される。
【０１２４】
Ｓ４１９では、システム制御部２０１は、Ｓ４０２で選択中に変更した設定項目の表示形態を通常の表示形態に戻して、図４の処理を終了し、Ｓ３１３に進む。
【０１２５】
本実施形態によれば、表示先が背面表示部１０１に設定されている場合は絶対座標で処理を行い、表示先が接眼ファインダー２１６に設定されている場合は所定の条件を満たすタッチムーブに対して相対座標で処理を行う。これにより、ユーザが絶対座標による操作か相対座標による操作かを選択することなく、自動で絶対座標による操作と相対座標による操作を切り替えることができる。
【０１２６】
また、タッチムーブによる相対座標による操作が行える期間は、測光中にタッチパネル２７０ａにタッチダウンすることで始まり、タッチパネル２７０ａからタッチアップすることで終了する。ただし、タッチ面積が所定の面積より小さい場合や、タッチダウンしてから所定の時間以内にタッチムーブの移動距離が所定より大きくならない場合は、相対座標による操作は無効となる。
【０１２７】
なお、ファインダーを覗きながらタッチパネルをタッチパッドとして用いてＡＦ位置を移動する操作を有効とする設定を可能としてもよい。つまり、背面表示部にライブビュー画像が表示されておらず、待機画面が表示されている状態での背面表示部へのタッチ操作により、ＡＦ位置などの選択位置を移動する設定を可能にするかを設定できるようにしてもよい。
【０１２８】
なお、上述した実施形態においては、背面表示部に待機画面が表示されている場合には、相対座標により操作設定をするものとして説明をしたが、絶対座標による操作と相対座標による操作のいずれにするかを設定できるようにしてもよい。
【０１２９】
また、タッチ有効領域を全体、右、左、右上、左上、右下、左下のいずれかから（有効領域設定）選択できるようにしてもよい。
【０１３０】
なお、図８の説明において、タッチ開始からの時間に対応する分タッチムーブすれば接眼中ファンクションを実行することを説明したが時間に関わらず所定距離以上タッチムーブしたら接眼中ファンクションを実行してもよい。つまり、例えばタッチ開始からの時間が２秒未満でも２秒以上でも３センチ以上タッチムーブしたら接眼中ファンクションを実行してもよい。
【０１３１】
上述の実施形態では、待機画面が背面表示部に表示された状態で背面表示部への所定の条件を満たすタッチ操作がされた際に、待機画面に表示されている設定項目とは異なるＡＦ位置の設定やホワイトバランスの設定について設定変更可能であることを説明した。しかしながら、待機画面が表示された状態で所定の条件を満たすタッチ操作に応じて設定変更する設定項目は、待機画面に表示される設定項目でもよい。
【０１３２】
さらに、ＡＦ位置やホワイトバランス以外にも、の設定変更を行う例を説明したが、ＩＳＯ感度の設定やマイカラー設定、アスペクト比の設定などを適用してもよい。さらに、自動明るさ調整設定、ＨＤＲ設定、ブラケット撮影設定、ＡＦエリア設定、グリッド表示設定、絞り数値設定などを適用してもよい。ＩＳＯ感度設定では、タッチムーブによってＩＳＯ感度を切り替えることができる。ＩＳＯ感度の設定値として現在設定されている値からタッチムーブ量に応じて変更した設定値を設定変更可能である。自動明るさ調整設定では、タッチムーブ操作により、画像内での明るさを調整することにより画像の視認性を良くする自動明るさ調整の効果の強さを（弱、中、強のように）切り替えることができる。ＨＤＲ設定では、タッチムーブ操作により、ハイダイミックレンジの効果の強さを切り替えることができる。自動明るさ調整設定、ＨＤＲ設定（画像処理を行う設定）では、所定量タッチムーブ操作をする毎に効果の強さが切り替わる。ブラケット撮影設定では、タッチムーブ操作により、露出を変えて撮影を行うＡＥブラケット設定か、ホワイトバランスを変えて撮影を行うＷＢブラケット設定かのいずれかを切り替えることができる。ＡＦエリア設定では、ユーザの選択したフォーカスポイントだけか、ユーザの選択したフォーカスポイントとその周辺か、全てのフォーカスポイントからカメラが自動で決めた位置かにＡＦ処理するか、などＡＦ位置の選択方法を設定できる。グリッド表示設定では、タッチダウンに応じてファインダー内表示部２４１にグリッド線表示をするか否かを切り替えることができる。絞り数値設定では、タッチムーブ操作に応じて絞り数値を変更することができる。また、予めユーザが待機画面への所定の条件を満たすタッチ操作によって設定変更する設定項目をメニュー画面で設定できるようにしてもよい。
【０１３３】
また、上述した実施形態においては、ファインダーにおいて被写体の光学像が視認可能であるか、背面表示部にライブビュー画像が表示されているかを判定することを説明した。しかしこれに限らず、ファインダーが図１（ｂ）に示すような電子ビューファインダーであるような場合でも適用可能である。
【０１３４】
なお、上述したデジタルカメラは接眼検知センサを有さないものとして説明したが、接眼検知センサがあるデジタルカメラにおいて上述の実施形態を適用してもよい。つまり、接眼検知の判定によりユーザがファインダーを覗いていると判定した後、行われたタッチ操作が上述の所定の条件を満たすものであるか否かを判定する。これにより、ユーザがファインダーを覗きながら背面表示部へのタッチ操作によりＡＦ位置などの変更操作をしようとしたのか、ファインダーに近づいてはいるが待機画面に表示されるアイテムへの操作をしようとしているのかをより正確に判定できるようになる。
【０１３５】
なお、図４で説明をしたＳ４０６とＳ４０７のうち、両方の判定を行わなくても片方の判定のみでもよい。
【０１３６】
なお、システム制御部２０１の制御は１つのハードウェアが行ってもよいし、複数のハードウェアが処理を分担することで、装置全体の制御を行ってもよい。
【０１３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３８】
また、上述した実施形態においては、本発明の撮像装置をデジタルカメラ１００に適用した例を説明したが、これに限定されず、ファインダーを有する撮像装置であれば適用可能である。すなわち、本発明は、ファインダーのある携帯電話やスマートフォン、ＰＤＡ（携帯情報端末）、携帯型の画像ビューワ、音楽プレーヤ、ゲーム機、電子ブックリーダ、医療機器などにも適用可能である。また、本発明の撮像装置は、ファインダーを有する撮像装置へのタッチ操作に関する制御が可能なデジタルカメラ（ネットワークカメラを含む）、携帯電話やスマートフォン、タブレットＰＣやデスクトップＰＣなどにも適用可能である。
【０１３９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４０】
１００…デジタルカメラ、１０１…背面表示部、２０１…システム制御部、２１６…接眼ファインダー、２４１…ファインダー内表示部、２７０ａ…タッチパネル、
【図１】
2018113551.tif 000003
【図２】
2018113551.tif 000004
【図３】
2018113551.tif 000005
【図４】
2018113551.tif 000006
【図５】
2018113551.tif 000007
【図６】
2018113551.tif 000008
【図７】
2018113551.tif 000009
【図８】
2018113551.tif 000010